(57)【要約】      （修正有）【課題】太陽光パネルの枠構造体に隣接する空間で、枠構造体との同一平面上に障害物が存在する場合であっても、太陽光パネルを防音壁の壁面に取り付けることを可能とする太陽光パネル取付用の枠構造体、太陽光パネルの取付構造及び太陽光パネルの取付方法を提供する。【解決手段】防音壁の壁面７０ａに太陽光パネル８を取り付けるための太陽光パネル取付用の枠構造体１に関する。左右方向が長手方向となる上下一対の枠部材及び上下方向が長手方向となる左右一対の枠部材の何れか一方又は両方を備え、何れかの一対の枠部材は、相互に対向するように開口された溝状部がそれぞれに形成され、一対の枠部材に形成された一対の溝状部２３、３３のうち、少なくとも一方の溝状部２３、３３の一部を太陽光パネル８が取り付けられる正面側に開かれた状態とすることができるように回動可能に取り付けられた開閉板２２を有する。【選択図】図１５
2014011180.tif 000002
【特許請求の範囲】
【請求項１】
防音壁の壁面に太陽光パネルを取り付けるための太陽光パネル取付用の枠構造体であって、
左右方向が長手方向となる上下一対の枠部材及び上下方向が長手方向となる左右一対の枠部材の何れか一方又は両方を備え、
前記上下一対の枠部材又は前記左右一対の枠部材は、相互に対向するように開口された溝状部がそれぞれに形成され、前記一対の枠部材に形成された一対の前記溝状部のうち、少なくとも一方の前記溝状部の一部を太陽光パネルが取り付けられる正面側に開かれた状態とすることができるように回動可能に取り付けられた開閉板を有すること
を特徴とする太陽光パネル取付用の枠構造体。
【請求項２】
前記上下一対の枠部材及び前記左右一対の枠部材の両方を備え、
前記上下一対の枠部材は、前記溝状部がそれぞれに形成され、
前記左右一対の枠部材は、太陽光パネルと防音壁の壁面との間隙を閉塞する閉塞部材を有すること
を特徴とする請求項１に記載の太陽光パネル取付用の枠構造体。
【請求項３】
前記溝状部は、太陽光パネルが取り付けられる正面側又は背面側に太陽光パネルを弾性的に付勢するバネ部材を有すること
を特徴とする請求項１又は２に記載の太陽光パネル取付用の枠構造体。
【請求項４】
防音壁の壁面に太陽光パネルを取り付けるための太陽光パネルの取付構造であって、
防音壁の壁面に取り付けられた枠構造体を備え、
前記枠構造体は、左右方向が長手方向となる上下一対の枠部材と上下方向が長手方向となる左右一対の枠部材とを有し、
前記上下一対の枠部材のうち、下部の枠部材は、上向きに開口された溝状の上向き溝状部が形成され、
前記上下一対の枠部材のうち、上部の枠部材は、下向きに開口された溝状の下向き溝状部が形成され、前記下向き溝状部の一部を太陽光パネルが取り付けられる正面側に開かれた状態とすることができるように、上下方向に回動可能に取り付けられた開閉板を有し、
前記下向き溝状部は、前記上向き溝状部に太陽光パネルの下端部を嵌め込んだ状態で、前記開閉板を下方に回転させることにより、太陽光パネルの上端部を前記下向き溝状部で挟持するものであること
を特徴とする太陽光パネルの取付構造。
【請求項５】
前記左右一対の枠部材は、前記下向き溝状部の一部が閉じられた状態で、太陽光パネルの左右からスライドされて、前記上部の枠部材を上方から支持するとともに、前記下部の枠部材を下方から支持して、さらに、太陽光パネルと防音壁の壁面との間隙を閉塞するものであること
を特徴とする請求項４に記載の太陽光パネルの取付構造。
【請求項６】
防音壁の壁面に太陽光パネルを取り付けるための太陽光パネルの取付方法であって、
防音壁の壁面に取り付けられた枠構造体の左右方向が長手方向となる上下一対の枠部材のうち、上部の枠部材において下向きに開口させて形成された溝状の下向き溝状部の一部を太陽光パネルが取り付けられる正面側に開いた状態で、かつ、前記枠構造体の上下方向が長手方向となる左右一対の枠部材を左右に開いた状態で、前記上下一対の枠部材のうち、下部の枠部材において上向きに開口させて形成された溝状の上向き溝状部に太陽光パネルの下端部を嵌め込む第１工程と、
前記上部の枠部材において上下方向に回動可能に取り付けられた開閉板を下方に回転させて前記下向き溝状部の一部を閉じることにより、太陽光パネルの上端部を前記下向き溝状部で挟持するとともに、前記下向き溝状部の一部が閉じられた状態で、前記左右一対の枠部材を太陽光パネルの左右からスライドさせることにより、前記左右一対の枠部材で太陽光パネルと防音壁の壁面との間隙を閉塞する第２工程とを備えること
を特徴とする太陽光パネルの取付方法。
【発明の詳細な説明】
【技術分野】
【０００１】
本発明は、防音壁の壁面に太陽光パネルを取り付けるための太陽光パネル取付用の枠構造体、太陽光パネルの取付構造及び太陽光パネルの取付方法に関するものである。
【背景技術】
【０００２】
従来より、太陽光発電を行うために、屋根に太陽光パネルを取り付けることを目的として、特許文献１に開示されるような太陽光パネルの取付構造が提案されている。
【０００３】
特許文献１に開示された太陽光パネルの取付構造は、屋根に固定された架台に取り付けられた外枠に対して、太陽光パネルを横方向からスライドさせて挿入することにより、屋根に太陽光パネルを取り付けるものである。
【０００４】
特許文献１に開示された太陽光パネルの取付構造は、外枠を屋根に取り付けたまま、太陽光パネルのみを取り外して点検、修理又は交換を実施することができ、迅速、かつ、低廉な太陽光パネルのメンテナンス作業を実現するものである。また、特許文献１に開示された太陽光パネルの取付構造は、あらかじめ外枠を屋根に取り付けておけるので、太陽光パネルの取り付けが困難な高所等において、太陽光パネルのスライド移動と、ネジの着脱という少ない作業での太陽光パネルの取り付け、取り外しを実現するものである。
【先行技術文献】
【特許文献】
【０００５】
【特許文献１】特開２０００−２７３９５号公報
【発明の概要】
【発明が解決しようとする課題】
【０００６】
特許文献１に開示された太陽光パネルの取付構造は、平板状の太陽光パネルをスライドさせて挿入するものであり、外枠に隣接する空間で外枠の開口部と同一平面上において、太陽光パネル分の所定の広さを必要とする。このため、特許文献１に開示された太陽光パネルの取付構造は、防音壁の壁面に複数の太陽光パネルを並べて設置する場合に、太陽光パネルを左右方向からスライドさせて挿入しようとすると、平板状の太陽光パネルが左右に隣り合う他の太陽光パネルの外枠等に接触し、外枠に太陽光パネルを挿入できないため、太陽光パネルを左右方向に並べて設置することができない。また、太陽光パネルを上下方向からスライドさせて挿入する場合も同様に、平板状の太陽光パネルが上下に隣り合う他の太陽光パネルの外枠等に接触し、外枠に太陽光パネルを挿入できないため、太陽光パネルを上下方向に並べて設置することができない。さらに、外枠に隣接する空間で外枠の開口部との同一平面上において、防音壁の支柱のフランジ等の障害物が存在する場合に、平板状の太陽光パネルをスライドさせて挿入するとその障害物に接触することになり、外枠に太陽光パネルを挿入することができなくなるという問題点があった。
【０００７】
そこで、本発明は、上述した問題点に鑑みて案出されたものであり、その目的とするところは、太陽光パネルが取り付けられる壁面で太陽光パネルの枠構造体に隣接する空間において、隣り合う他の太陽光パネルや障害物等が存在する場合であっても、太陽光パネルの容易な取り付け及び取り外しを可能とする太陽光パネル取付用の枠構造体、太陽光パネルの取付構造及び太陽光パネルの取付方法を提供することにある。
【課題を解決するための手段】
【０００８】
第１発明に係る太陽光パネル取付用の枠構造体は、防音壁の壁面に太陽光パネルを取り付けるための太陽光パネル取付用の枠構造体であって、左右方向が長手方向となる上下一対の枠部材及び上下方向が長手方向となる左右一対の枠部材の何れか一方又は両方を備え、前記上下一対の枠部材又は前記左右一対の枠部材は、相互に対向するように開口された溝状部がそれぞれに形成され、前記一対の枠部材に形成された一対の前記溝状部のうち、少なくとも一方の前記溝状部の一部を太陽光パネルが取り付けられる正面側に開かれた状態とすることができるように回動可能に取り付けられた開閉板を有することを特徴とする。
【０００９】
第２発明に係る太陽光パネル取付用の枠構造体は、第１発明において、前記上下一対の枠部材及び前記左右一対の枠部材の両方を備え、前記上下一対の枠部材は、前記溝状部がそれぞれに形成され、前記左右一対の枠部材は、太陽光パネルと防音壁の壁面との間隙を閉塞する閉塞部材を有することを特徴とする。
【００１０】
第３発明に係る太陽光パネル取付用の枠構造体は、第１発明又は第２発明において、前記溝状部は、太陽光パネルが取り付けられる正面側又は背面側に太陽光パネルを弾性的に付勢するバネ部材を有することを特徴とする。
【００１１】
第４発明に係る太陽光パネルの取付構造は、防音壁の壁面に太陽光パネルを取り付けるための太陽光パネルの取付構造であって、防音壁の壁面に取り付けられた枠構造体を備え、前記枠構造体は、左右方向が長手方向となる上下一対の枠部材と上下方向が長手方向となる左右一対の枠部材とを有し、前記上下一対の枠部材のうち、下部の枠部材は、上向きに開口された溝状の上向き溝状部が形成され、前記上下一対の枠部材のうち、上部の枠部材は、下向きに開口された溝状の下向き溝状部が形成され、前記下向き溝状部の一部を太陽光パネルが取り付けられる正面側に開かれた状態とすることができるように、上下方向に回動可能に取り付けられた開閉板を有し、前記下向き溝状部は、前記上向き溝状部に太陽光パネルの下端部を嵌め込んだ状態で、前記開閉板を下方に回転させることにより、太陽光パネルの上端部を前記下向き溝状部で挟持するものであることを特徴とする。
【００１２】
第５発明に係る太陽光パネルの取付構造は、第４発明において、前記左右一対の枠部材は、前記下向き溝状部の一部が閉じられた状態で、太陽光パネルの左右からスライドされて、前記上部の枠部材を上方から支持するとともに、前記下部の枠部材を下方から支持して、さらに、太陽光パネルと防音壁の壁面との間隙を閉塞するものであることを特徴とする。
【００１３】
第６発明に係る太陽光パネルの取付方法は、防音壁の壁面に太陽光パネルを取り付けるための太陽光パネルの取付方法であって、防音壁の壁面に取り付けられた枠構造体の左右方向が長手方向となる上下一対の枠部材のうち、上部の枠部材において下向きに開口させて形成された溝状の下向き溝状部の一部を太陽光パネルが取り付けられる正面側に開いた状態で、かつ、前記枠構造体の上下方向が長手方向となる左右一対の枠部材を左右に開いた状態で、前記上下一対の枠部材のうち、下部の枠部材において上向きに開口させて形成された溝状の上向き溝状部に太陽光パネルの下端部を嵌め込む第１工程と、前記上部の枠部材において上下方向に回動可能に取り付けられた開閉板を下方に回転させて前記下向き溝状部の一部を閉じることにより、太陽光パネルの上端部を前記下向き溝状部で挟持するとともに、前記下向き溝状部の一部が閉じられた状態で、前記左右一対の枠部材を太陽光パネルの左右からスライドさせることにより、前記左右一対の枠部材で太陽光パネルと防音壁の壁面との間隙を閉塞する第２工程とを備えることを特徴とする。
【発明の効果】
【００１４】
第１発明〜第６発明によれば、太陽光パネルの枠構造体に隣接する空間において、隣り合う他の太陽光パネルや障害物が存在する場合であっても、太陽光パネル本体に対する加工を必要としないで、太陽光パネルを防音壁の壁面に強固に取り付けることが可能となる。特に、防音壁を構成する複数の防音パネルに太陽光パネルを取り付けて、複数の太陽光パネルを並べて設置する場合に、それらの太陽光パネルを容易に取り付けることが可能となるだけでなく、交換、修理等の必要のない太陽光パネル又は防音パネルを取り外すことなく、破損又は故障した太陽光パネル又は防音パネルのみを容易に取り外すことができ、太陽光パネル又は防音パネルの交換、修理等を容易に行うことが可能となる。
【００１５】
特に、第２発明によれば、太陽光パネルと防音壁の壁面との間隙が閉塞されるため、間隙における風の通過を防止することができ、また、間隙に雨水、小動物等が入り込むことを防止して、太陽光パネルの腐食や、太陽光パネルの配線の破損等を防止することが可能となる。
【００１６】
特に、第３発明によれば、太陽光パネルがバネ部材により枠構造体の正面側又は背面側に弾性的に付勢され、ガタつきを防止した状態で、太陽光パネルを溝状部で強固に挟持することが可能となる。
【００１７】
特に、第４発明によれば、あらかじめ組み立てられた枠構造体を、新設又は既設の防音壁の壁面に取り付けることができ、防音壁の壁面における枠構造体の組み立てを必要としないため、防音壁が設置される場所が高所等で作業が困難な場所であっても、容易に防音壁の壁面に枠構造体を取り付けることが可能となり、また、防音壁の壁面に枠構造体を迅速に取り付けることができるため、防音壁が設置されている道路の通行規制を最小限度にすることができる。
【００１８】
特に、第５発明によれば、左右一対の枠部材は上方及び下方から上部枠部材及び下部枠部材を支持することができ、太陽光パネルの自重による上向き溝状部の開くような変形を防止することができるとともに、太陽光パネルを取り付けた後における開閉板の回動を制限することができ、枠構造体からの太陽光パネルの脱落を防止することが可能となる。太陽光パネルと防音壁の壁面との間隙が閉塞されるため、間隙における風の通過を防止することができ、また、間隙に雨水、小動物等が入り込むことを防止して、太陽光パネルの腐食や、太陽光パネルの配線の破損等を防止することが可能となる。
【図面の簡単な説明】
【００１９】
【図１】本発明を適用した太陽光パネル取付用の枠構造体が防音壁に取り付けられた状態を示す正面方向斜視図である。
【図２】本発明を適用した太陽光パネル取付用の枠構造体の上部枠部材及び補剛材を示す正面方向斜視図である。
【図３】本発明を適用した太陽光パネル取付用の枠構造体の上部枠部材及び補剛材を示す右側面図である。
【図４】（ａ）は、本発明を適用した太陽光パネル取付用の枠構造体の上部枠部材の下向き溝状部の一部が閉じた状態を示す右側面図であり、（ｂ）は、本発明を適用した太陽光パネル取付用の枠構造体の上部枠部材の下向き溝状部の一部が開いた状態を示す右側面図である。
【図５】本発明を適用した太陽光パネル取付用の枠構造体の上部枠部材及びバネ部材を示す右側面図である。
【図６】本発明を適用した太陽光パネル取付用の枠構造体の下部枠部材及び補剛材を示す正面方向斜視図である。
【図７】本発明を適用した太陽光パネル取付用の枠構造体の下部枠部材及び補剛材を示す右側面図である。
【図８】本発明を適用した太陽光パネル取付用の枠構造体の下部枠部材及びバネ部材を示す右側面図である。
【図９】（ａ）は、本発明を適用した太陽光パネル取付用の枠構造体の補剛材を示す正面図であり、（ｂ）は、本発明を適用した太陽光パネル取付用の枠構造体の補剛材を示す右側面図である。
【図１０】本発明を適用した太陽光パネル取付用の枠構造体の左側枠部材及び補剛材を示す正面方向斜視図である。
【図１１】本発明を適用した太陽光パネル取付用の枠構造体の右側枠部材及び補剛材を示す正面方向斜視図である。
【図１２】本発明を適用した太陽光パネル取付用の枠構造体の右側枠部材が防音壁に取り付けられた状態を示す右側面図である。
【図１３】本発明を適用した太陽光パネル取付用の枠構造体の上部枠部材の下向き溝状部の一部が閉じられる前の状態を示す正面方向斜視図である。
【図１４】本発明を適用した太陽光パネルの取付方法における第１工程の後の本発明を適用した太陽光パネルの取付構造と太陽光パネルとを示す側断面図である。
【図１５】本発明を適用した太陽光パネルの取付方法における第２工程の後の本発明を適用した太陽光パネルの取付構造と太陽光パネルとを示す斜視図である。
【図１６】本発明を適用した太陽光パネルの取付構造の他の実施形態において、防音壁に取り付けられた枠構造体に太陽光パネルが取り付けられた状態を示す正面図である。
【図１７】本発明を適用した太陽光パネルの取付構造の他の実施形態における連結カバーを示す正面図である。
【発明を実施するための形態】
【００２０】
以下、本発明を適用した太陽光パネル取付用の枠構造体、及び、太陽光パネルの取付構造を実施するための形態について、図面を参照しながら詳細に説明する。
【００２１】
本発明を適用した太陽光パネル取付用の枠構造体１は、図１に示すように、上下一対の枠部材１０と、左右一対の枠部材１０とを備える。上下一対の枠部材１０は、枠構造体１の上部に設置される上部枠部材２と、枠構造体１の下部に設置される下部枠部材３とを備える。左右一対の枠部材１０は、枠構造体１の左側に設置される左側枠部材４と、枠構造体１の右側に設置される右側枠部材５とを備える。枠構造体１は、さらに、上部枠部材２と下部枠部材３とを連結する補剛材６を備えるものとすることができる。
【００２２】
本発明を適用した太陽光パネルの取付構造７は、道路に沿って設置された防音壁７０に対して、車両が通行する道路と反対側の壁面７０ａに枠構造体１を取り付けて、この枠構造体１に太陽光パネル８を取り付けるものである。本発明を適用した太陽光パネルの取付構造７は、これに限らず、防音壁７０の道路側の壁面７０ａに太陽光パネル８を取り付けることもできる。
【００２３】
上部枠部材２は、図２、図３に示すように、左右方向を長手方向として、上部基枠２１と開閉板２２とを備える。上部基枠２１は、上部第１面部２１ａと上部第２面部２１ｂと上部第３面部２１ｃと上部第４面部２１ｄとを有する。開閉板２２は、上部挟持部２２ａと、上部固定部２２ｂと、上部連結部２２ｃとを有する。
【００２４】
上部第１面部２１ａは、図３に示すように、枠構造体１の鉛直方向内側に設けられる。上部第２面部２１ｂは、上部第１面部２１ａの鉛直方向外側の一端から、太陽光パネル８が取り付けられる正面側に垂直に延びるように設けられる。上部第３面部２１ｃは、上部第２面部２１ｂの正面側の一端から、枠構造体１の鉛直方向外側に垂直に延びるように設けられる。上部第４面部２１ｄは、上部第３面部２１ｃの鉛直方向外側の一端から壁面側に向けて、枠構造体１の鉛直方向外側に傾斜させて延びるように設けられる。
【００２５】
上部挟持部２２ａは、開閉板２２の太陽光パネル８が取り付けられる正面側において、鉛直方向に延びるように設けられる。上部固定部２２ｂは、開閉板２２の壁面側において、上部挟持部２２ａより長く鉛直方向に延びるように設けられる。上部連結部２２ｃは、上部挟持部２２ａの鉛直方向外側の一端から上部固定部２２ｂの鉛直方向外側の一端に向けて、枠構造体１の鉛直方向外側に傾斜させて設けられる。
【００２６】
上部枠部材２は、図４（ａ）に示すように、長手方向の２箇所において、アングル部材２ａとともに蝶番２ｂが取り付けられる。上部枠部材２は、アングル部材２ａの一方の面を上部第２面部２１ｂに当接させてリベット１ｂを打ち込むとともに、アングル部材２ａの他方の面を蝶番２ｂの一方の面に当接させてリベット１ｂを打ち込み、蝶番２ｂの他方の面を上部連結部２２ｃに当接させてリベット１ｂを打ち込むことにより、上部基枠２１と開閉板２２とを連結されて設けられる。
【００２７】
上部枠部材２は、蝶番２ｂが取り付けられる箇所において、上部固定部２２ｂ及び上部第４面部２１ｄの長手方向の一部が切り欠かれる。これにより、開閉板２２は、図４（ｂ）に示すように、上部固定部２２ｂ及び上部第４面部２１ｄが蝶番２ｂに接触することなく、蝶番２ｂにより上下方向に回動可能に上部基枠２１に取り付けられる。上部枠部材２は、これに限らず、開閉板２２が上部基枠２１に回動可能に取り付けられるものであれば、如何なる数量の蝶番２ｂが用いられてもよいし、蝶番２ｂの代わりに如何なる回動手段が用いられてもよい。
【００２８】
上部枠部材２は、図５に示すように、枠構造体１の鉛直方向内側において、上部第３面部２１ｃと上部挟持部２２ａと上部連結部２２ｃの一部とにより、下向きに開口された下向き溝状部２３が形成される。下向き溝状部２３は、長手方向の複数箇所において、上部第２面部２１ｂに当接させてリベット１ｂが打ち込まれた板バネ等のバネ部材１ａを有する。バネ部材１ａは、下向き溝状部２３の内部において、太陽光パネル８を正面側に向けて弾性的に付勢するものである。下向き溝状部２３は、これに限らず、バネ部材１ａが太陽光パネル８を背面側に向けて弾性的に付勢するものでもよく、また、バネ部材１ａが取り付けられなくてもよい。
【００２９】
下部枠部材３は、図６、図７に示すように、左右方向を長手方向として、下部基枠３１とカバー部材３２とを備える。下部基枠３１は、下部第１面部３１ａと下部第２面部３１ｂと下部第３面部３１ｃと下部第４面部３１ｄとを有する。カバー部材３２は、下部挟持部３２ａと、下部固定部３２ｂと、下部連結部３２ｃとを有する。
【００３０】
下部第１面部３１ａは、枠構造体１の鉛直方向内側に設けられる。下部第２面部３１ｂは、下部第１面部３１ａの鉛直方向外側の一端から、太陽光パネル８が取り付けられる正面側に垂直に延びるように設けられる。下部第３面部３１ｃは、下部第２面部３１ｂの正面側の一端から、枠構造体１の鉛直方向外側に垂直に延びるように設けられる。下部第４面部３１ｄは、下部第３面部３１ｃの鉛直方向外側の一端から壁面側に向けて、枠構造体１の鉛直方向外側に傾斜させて延びるように設けられる。
【００３１】
下部挟持部３２ａは、図７に示すように、カバー部材３２の太陽光パネル８が取り付けられる正面側において、鉛直方向に延びるように設けられる。下部固定部３２ｂは、開閉板２２の壁面側において、下部挟持部３２ａより長く鉛直方向に延びるように設けられる。下部連結部３２ｃは、下部挟持部３２ａの鉛直方向外側の一端から下部固定部３２ｂの鉛直方向外側の一端に向けて、枠構造体１の鉛直方向外側に傾斜させて設けられる。
【００３２】
下部枠部材３は、図８に示すように、長手方向の複数箇所において、下部第４面部３１ｄと下部連結部３２ｃとを当接させて、ビス１ｃを用いてネジ止めされ、下部基枠３１にカバー部材３２が固定される。下部枠部材３は、これに限らず、上部枠部材２と同様に、カバー部材３２が蝶番２ｂにより上下方向に回動可能に下部基枠３１に取り付けられてもよい。
【００３３】
下部枠部材３は、枠構造体１の鉛直方向内側において、下部第３面部３１ｃと下部挟持部３２ａと下部連結部３２ｃの一部とにより、上向きに開口された上向き溝状部３３が形成される。上向き溝状部３３は、長手方向の複数箇所において、下部第２面部３１ｂに当接させてリベット１ｂが打ち込まれ、板バネ等のバネ部材１ａが取り付けられる。バネ部材１ａは、上向き溝状部３３の内部において、太陽光パネル８を正面側に向けて弾性的に付勢するものである。上向き溝状部３３は、これに限らず、バネ部材１ａが太陽光パネル８を背面側に向けて弾性的に付勢するものでもよく、また、バネ部材１ａが取り付けられなくてもよい。
【００３４】
補剛材６は、図３、７、９に示すように、壁面側が開口された溝形鋼が上部枠部材２及び下部枠部材３の長手方向の左側、右側及び略中央にそれぞれリベット１ｂを用いて取り付けられ、それらが上部枠部材２と下部枠部材３とを連結するものである。補剛材６は、上下方向の中間部に、左右方向に連通される挿入口６ａが上下対称に形成される。
【００３５】
左側枠部材４及び右側枠部材５は、図１０、図１１に示すように、それぞれスライド部材９１と、閉塞部材９２と、閉塞板９３とを備える。左側枠部材４のスライド部材９１は、上部枠部材２及び下部枠部材３の長手方向の左側に設けられた補剛材６に形成された上側の挿入口６ａにスライドさせて挿入される。右側枠部材５のスライド部材９１は、上部枠部材２及び下部枠部材３の長手方向の右側に設けられた補剛材６の上側の挿入口６ａにスライドさせて挿入される。
【００３６】
スライド部材９１は、補剛材６の上側の挿入口６ａにスライドさせて挿入されるスライド平板部９１ａと、閉塞部材９２の内側でリベット１ｂを打ち込んで取り付けられるスライド基端部９１ｂとを備える。スライド部材９１は、スライド平板部９１ａの先端に孔が形成されており、補剛材６の挿入口６ａに挿入された状態で、補剛材６の挿入口６ａからスライド部材９１が脱落しないように、スライド平板部９１ａの先端の孔にリベット１ｂが取り付けられる。
【００３７】
閉塞部材９２は、上下方向に延びた平板状のカバー板９２ａと、カバー板９２ａの太陽光パネル８が取り付けられる正面側の端部から、枠構造体１の水平方向内側に向けて垂直に延びるように設けられた平板状の支持板９２ｂと、カバー板９２ａの上端部及び下端部から枠構造体１の水平方向内側に向けて延びるように設けられた平板状の支持片９２ｃとを備える。閉塞部材９２は、さらに、支持板９２ｂと支持片９２ｃとが連続する部分における枠構造体１の水平方向内側において、切欠部９２ｄを備えるものとすることもできる。
【００３８】
閉塞板９３は、図１２に示すように、矩形の基端部９３ａと、矩形の基端部９３ａから連続して設けられた本体部９３ｂとを有する。閉塞板９３は、カバー板９２ａの壁面側における上下方向の略中央において、矩形の基端部９３ａにリベット１ｂを打ち込むことにより、閉塞部材９２に取り付けられる。閉塞板９３は、防音壁７０の壁面７０ａを構成する防音パネルの側面に、台形状の凹部７０ｂが形成されている場合に、本体部９３ｂで凹部７０ｂを側方から閉塞するものである。閉塞板９３は、これに限らず、如何なる形状の凹部７０ｂにも合わせることができるように、如何なる形状のものであってもよい。
【００３９】
本発明を適用した太陽光パネル取付用の枠構造体１は、金属製のものが用いられるが、これに限らず、如何なる材質のものが用いられてもよい。また、枠構造体１は、上述した形状のほかに、如何なる形状のものが用いられてもよい。
【００４０】
本発明を適用した太陽光パネル取付用の枠構造体１は、これに限らず、上下一対の上部枠部材２及び下部枠部材３、又は、左右一対の左側枠部材４及び右側枠部材５のうち、何れか一方のみを備えるものとすることができ、また、左側枠部材４及び右側枠部材５の何れか一方又は両方において、上部枠部材２と同様に、開閉板２２が回動可能に取り付けられてもよく、さらに、左側枠部材４及び右側枠部材５の何れか一方又は両方において、閉塞部材９２やスライド部材９１を設けずに、太陽光パネル８の左右方向へのずれ止め手段を講じるものであってもよい。
【００４１】
次に、本発明を適用した太陽光パネルの取付方法について、図面を参照しながら詳細に説明する。
【００４２】
本発明を適用した太陽光パネルの取付方法は、上下一対の上部枠部材２及び下部枠部材３と、左右一対の左側枠部材４及び右側枠部材５と、上部枠部材２と下部枠部材３とを連結する補剛材６とにより組み立てられた枠構造体１を用いるものである。本発明を適用した太陽光パネルの取付方法は、本発明を適用した太陽光パネルの取付構造７により、防音壁７０の壁面７０ａに取り付けられた枠構造体１に太陽光パネル８を取り付けるものである。
【００４３】
本発明を適用した太陽光パネル取付用の枠構造体１は、特に、道路に沿って設置された既設の防音壁７０の壁面７０ａに取り付けられる場合に、防音壁７０を構成する防音パネルを取り外すことなく、防音パネルの壁面７０ａを複数箇所削孔し、削孔箇所に後付けのポップナットを取り付けて、上部第１面部２１ａ及び下部第１面部３１ａに形成された孔を介して、このポップナットにボルト１ｄを用いることにより取り付けられる。枠構造体１は、特に、新設の防音壁７０の壁面７０ａに取り付けられる場合には、あらかじめナットを防音壁７０の壁面７０ａに取り付けておき、このナットにボルト１ｄを用いることにより取り付けられてもよい。
【００４４】
本発明を適用した太陽光パネルの取付方法は、第１工程において、図１３に示すように、開閉板２２を下方に回転させる前段において、下向き溝状部２３の一部を太陽光パネル８が取り付けられる正面側に開いた状態で、かつ、左側枠部材４及び右側枠部材５を枠構造体１の左右に開いた状態で、上向き溝状部３３に太陽光パネル８の下端部８ａが嵌め込まれる。このとき、太陽光パネル８の下端部８ａは、上向き溝状部３３において下部連結部３２ｃに載せ置かれて支持されるとともに、バネ部材１ａにより正面側に弾性的に付勢され、ガタつきを防止した状態で、下部挟持部３２ａとバネ部材１ａとにより挟持される。
【００４５】
本発明を適用した太陽光パネルの取付方法は、第２工程において、図１４に示すように、開閉板２２を下方に回転させることにより、太陽光パネル８が取り付けられる正面側に開いた状態の下向き溝状部２３の一部を閉じた状態とする。このとき、太陽光パネル８の上端部８ｂは、下向き溝状部２３において、バネ部材１ａにより正面側に弾性的に付勢され、ガタつきを防止した状態で、上部挟持部２２ａとバネ部材１ａとにより挟持される。
【００４６】
さらに、本発明を適用した太陽光パネルの取付方法は、第２工程において、図１５に示すように、下向き溝状部２３を閉じた状態で、太陽光パネル８の左右から左側枠部材４及び右側枠部材５をスライドさせて閉じた状態とする。これにより、上部枠部材２及び下部枠部材３は、閉塞部材９２の支持片９２ｃで上方及び下方から支持される。また、太陽光パネル８の左端部８ｃ及び右端部８ｄは、左側枠部材４及び右側枠部材５が閉じた状態とされることで、防音壁７０の壁面７０ａと太陽光パネル８との間に形成された間隙８１が閉塞部材９２のカバー板９２ａにより閉塞される。
【００４７】
本発明を適用した太陽光パネルの取付方法は、上部枠部材２及び下部枠部材３と支持片９２ｃとが当接する部分で、上方及び下方から上部枠部材２及び下部枠部材３をビス１ｃを用いてネジ止めしてもよい。これにより、本発明を適用した太陽光パネルの取付構造７は、太陽光パネル８の自重による上向き溝状部３３の開くような変形を防止することができるとともに、太陽光パネル８を取り付けた後における開閉板２２の回動を制限することができ、枠構造体１からの太陽光パネル８の脱落を防止することが可能となる。
【００４８】
本発明を適用した太陽光パネルの取付方法は、さらに、上部枠部材２、下部枠部材３、左側枠部材４及び右側枠部材５に太陽光パネル８を取り付けた状態で、上部基枠２１と開閉板２２とをビス１ｃを用いてネジ止めして固定してもよい。これにより、本発明を適用した太陽光パネルの取付構造７は、太陽光パネル８を取り付けた後における開閉板２２の回動を制限することができ、太陽光パネル８を枠構造体１に強固に固定することが可能となる。
【００４９】
本発明を適用した太陽光パネルの取付構造７は、太陽光パネル８の上端部８ｂ、下端部８ａ、左端部８ｃ及び右端部８ｄを、枠構造体１の上部枠部材２、下部枠部材３、左側枠部材４及び右側枠部材５で支持して固定するものである。このため、本発明を適用した太陽光パネルの取付構造７は、太陽光パネル８の隅部のみを部分的に支持するものに比べて、太陽光パネル８を防音壁７０の壁面７０ａに強固に取り付けることが可能となる。
【００５０】
本発明を適用した太陽光パネルの取付構造７は、太陽光パネル８の上端部８ｂ、下端部８ａ、左端部８ｃ及び右端部８ｄにおいて、太陽光パネル８と防音壁７０の壁面７０ａとの間隙８１を閉塞するものである。このため、本発明を適用した太陽光パネルの取付構造７は、間隙８１における風の通過を防止して、太陽光パネル８に吹き上げ荷重が作用することを防止することができ、吹き上げ荷重による太陽光パネル８の飛散を防止することが可能となるとともに、間隙８１に雨水、小動物等が入り込むことを防止して、太陽光パネル８の腐食や、太陽光パネル８の配線８ｅの破損等を防止することが可能となる。
【００５１】
本発明を適用した太陽光パネルの取付構造７は、あらかじめ組み立てられた枠構造体１を、新設又は既設の防音壁７０の壁面７０ａに取り付けることができるものであり、防音壁７０の壁面７０ａにおいて、枠構造体１を組み立てながら取り付けることを必要としないものである。このため、本発明を適用した太陽光パネルの取付構造７は、防音壁７０が設置される場所が高所等で作業が困難な場所であっても、容易に防音壁７０の壁面７０ａに枠構造体１を取り付けることが可能となる。また、本発明を適用した太陽光パネルの取付構造７は、あらかじめ組み立てられた枠構造体１を、防音壁７０の壁面７０ａに迅速に取り付けることができるため、防音壁７０が設置されている道路の通行規制を最小限度にすることができる。
【００５２】
本発明を適用した太陽光パネルの取付構造７は、枠構造体１の正面側から太陽光パネル８を挟み込んで取り付けるものである。このため、本発明を適用した太陽光パネルの取付構造７は、太陽光パネル８を迅速に取り付けることができ、また、枠構造体１に隣接する空間で枠構造体１との同一平面上に、防音壁７０の支柱のフランジ等の障害物が存在する場合であっても、平板状の太陽光パネル８を枠構造体１に取り付けることが可能となる。さらに、本発明を適用した太陽光パネルの取付構造７は、太陽光パネル８本体に対する削孔等の加工を必要とせず、太陽光パネル８本体の削孔等による強度の低下を回避して、太陽光パネル８を枠構造体１に取り付けることが可能となる。
【００５３】
本発明を適用した太陽光パネルの取付構造７は、枠構造体１の正面側からの太陽光パネル８の容易な取り外しを可能とするものである。このため、本発明を適用した太陽光パネルの取付構造７は、破損又は故障した太陽光パネル８を容易に取り外すことができ、太陽光パネル８の交換、修理等を容易に行うことが可能となる。
【００５４】
本発明を適用した太陽光パネルの取付構造７は、防音壁７０の壁面７０ａに枠構造体１が取り付けられるため、上部枠部材２、下部枠部材３、左側枠部材４、右側枠部材５及び補剛材６により防音壁７０を構成する防音パネルの強度を向上させることが可能となる。また、枠構造体１は、上部枠部材２及び下部枠部材３、又は、左側枠部材４及び右側枠部材５において、上下又は左右に対称の材料を用いることができるため、材料の共通化による製造コストの削減が可能となる。
【００５５】
次に、本発明を適用した太陽光パネルの取付構造７の他の実施形態について説明する。なお、上述した構成要素と同一の構成要素については、同一の符号を付すことにより以下での説明を省略する。
【００５６】
本発明を適用した太陽光パネルの取付構造７は、他の実施形態において、図１６に示すように、枠構造体１の上部枠部材２及び下部枠部材３を左右に２つ並べて、左側の枠構造体１に左側枠部材４を取り付け、右側の枠構造体１に右側枠部材５を取り付けて、それぞれの枠構造体１に太陽光パネル８を取り付けるものである。
【００５７】
この実施形態における太陽光パネルの取付構造７は、それぞれの枠構造体１の上部枠部材２及び下部枠部材３と、左側の枠構造体１の左側枠部材４及び右側の枠構造体１の右側枠部材５とによって、太陽光パネル８が取り付けられた状態で、左側の枠構造体１と右側の枠構造体１との間に連結カバー１１が取り付けられるものである。
【００５８】
連結カバー１１は、図１７に示すように、平板状の蓋体１１ａと、蓋体１１ａの上端部及び下端部から壁面側に延びるように設けられた一対の係止板１１ｂとを備える。蓋体１１ａは、隅部の一部が切り欠かれて切欠部９２ｄが設けられる。係止板１１ｂは、配線用に切り欠かれた開口部９２ｅが左右方向の略中央に形成され、左右両端に支持片９２ｃが設けられる。連結カバー１１の左側部は、左側の枠構造体１において、右側枠部材５として取り付けられる。連結カバー１１の右側部は、右側の枠構造体１において、左側枠部材４として取り付けられる。
【００５９】
この実施形態における太陽光パネルの取付構造７は、それぞれの枠構造体１に太陽光パネル８が取り付けられた状態で、左側の枠構造体１と右側の枠構造体１との間に太陽光パネル８の配線８ｅを設置して、この配線８ｅを覆うようにして連結カバー１１が取り付けられる。連結カバー１１は、上部枠部材２及び下部枠部材３を支持片９２ｃで上方及び下方から支持することができる。
【００６０】
この実施形態における太陽光パネルの取付構造７は、左側の枠構造体１と右側の枠構造体１との間を覆うように正面側から連結カバー１１が取り付けられるため、左右の枠構造体１において形成された防音壁７０の壁面７０ａと太陽光パネル８との間隙８１を露出させないようにすることができる。これにより、本発明を適用した太陽光パネルの取付構造７は、間隙８１における風の通過を防止して、太陽光パネル８に吹き上げ荷重が作用することを防止することができ、吹き上げ荷重による太陽光パネル８の飛散を防止することが可能となるとともに、間隙８１に雨水、小動物等が入り込むことを防止して、太陽光パネル８の腐食や、太陽光パネル８の配線８ｅの破損等を防止することが可能となる。
【００６１】
この実施形態における太陽光パネルの取付構造７は、図１６に示すように、複数の段に亘って太陽光パネル８を取り付ける場合に、係止板１１ｂの開口部９２ｅに太陽光パネル８の配線８ｅを通して、上下段の太陽光パネル８の配線８ｅを連結することができる。これにより、この実施形態における太陽光パネルの取付構造７は、防音壁７０を構成する防音パネルごとに太陽光パネル８を取り付けて、太陽光パネル８の配線８ｅを連結することができ、効率的な配線を行うことが可能となる。
【００６２】
この実施形態における太陽光パネルの取付構造７は、複数の段に亘って取り付けられた枠構造体１の正面側から太陽光パネル８を取り付けるものである。このため、この実施形態における太陽光パネルの取付構造７は、太陽光パネル８を迅速に取り付けることができ、また、枠構造体１に隣接する空間で枠構造体１との同一平面上において、防音壁７０の支柱のフランジ等の障害物が存在する場合であっても、平板状の太陽光パネル８を枠構造体１に容易に取り付けることが可能となる。さらに、この実施形態における太陽光パネルの取付構造７は、隣り合う他の太陽光パネル８や、並べて取り付けられた他の枠構造体１が障害物となることはなく、平板状の太陽光パネル８を枠構造体１に容易に取り付けることが可能となる。
【００６３】
また、この実施形態における太陽光パネルの取付構造７は、複数の段に亘って取り付けられた枠構造体１の正面側からの太陽光パネル８の容易な取り外しを可能とするものである。このため、本発明を適用した太陽光パネルの取付構造７は、交換、修理等の必要のない太陽光パネル８を取り外すことなく、破損又は故障した太陽光パネル８のみを容易に取り外すことができ、太陽光パネル８の交換、修理等を容易に行うことが可能となる。
【００６４】
この実施形態における太陽光パネルの取付構造７は、隣接する太陽光パネルの取付構造７のそれぞれが独立した構成であり、単に配線８ｅが連結されているのみである。したがって、この実施形態における太陽光パネルの取付構造７は、枠構造体１が取り付けられる防音壁７０の一部である防音パネルが破損又は故障した場合に、隣接する太陽光パネルの取付構造７はそのままで、破損又は故障した防音パネルのみを付属する枠構造体１ごとに交換することができる。これにより、この実施形態における太陽光パネルの取付構造７は、破損又は故障した防音パネルのみを容易に取り外すことができ、防音壁７０の一部である防音パネルの交換、修理等を容易に行うことが可能となる。
【００６５】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００６６】
１        ：枠構造体
１ａ      ：バネ部材
１ｂ      ：リベット
１ｃ      ：ビス
１ｄ      ：ボルト
１０      ：枠部材
１１      ：連結カバー
１１ａ    ：蓋体
１１ｂ    ：係止板
２        ：上部枠部材
２ａ      ：アングル部材
２ｂ      ：蝶番
２１      ：上部基枠
２１ａ    ：上部第１面部
２１ｂ    ：上部第２面部
２１ｃ    ：上部第３面部
２１ｄ    ：上部第４面部
２２      ：開閉板
２２ａ    ：上部挟持部
２２ｂ    ：上部固定部
２２ｃ    ：上部連結部
２３      ：下向き溝状部
３        ：下部枠部材
３１      ：下部基枠
３１ａ    ：下部第１面部
３１ｂ    ：下部第２面部
３１ｃ    ：下部第３面部
３１ｄ    ：下部第４面部
３２      ：カバー部材
３２ａ    ：下部挟持部
３２ｂ    ：下部固定部
３２ｃ    ：下部連結部
３３      ：上向き溝状部
４        ：左側枠部材
５        ：右側枠部材
６        ：補剛材
６ａ      ：挿入口
７        ：太陽光パネルの取付構造
７０      ：防音壁
７０ａ    ：壁面
７０ｂ    ：凹部
８        ：太陽光パネル
８ａ      ：下端部
８ｂ      ：上端部
８ｃ      ：左端部
８ｄ      ：右端部
８ｅ      ：配線
８１      ：間隙
９１      ：スライド部材
９１ａ    ：スライド平板部
９１ｂ    ：スライド基端部
９２      ：閉塞部材
９２ａ    ：カバー板
９２ｂ    ：支持板
９２ｃ    ：支持片
９２ｄ    ：切欠部
９２ｅ    ：開口部
９３      ：閉塞板
９３ａ    ：基端部
９３ｂ    ：本体部
【図１】
2014011180.tif 000003
【図２】
2014011180.tif 000004
【図３】
2014011180.tif 000005
【図４】
2014011180.tif 000006
【図５】
2014011180.tif 000007
【図６】
2014011180.tif 000008
【図７】
2014011180.tif 000009
【図８】
2014011180.tif 000010
【図９】
2014011180.tif 000011
【図１０】
2014011180.tif 000012
【図１１】
2014011180.tif 000013
【図１２】
2014011180.tif 000014
【図１３】
2014011180.tif 000015
【図１４】
2014011180.tif 000016
【図１５】
2014011180.tif 000017
【図１６】
2014011180.tif 000018
【図１７】
2014011180.tif 000019